(57)【特許請求の範囲】
【請求項１】
透明性を有する基板と、
前記基板の主面側に配置されている第１の被照明対象と、
前記基板の端面側に配置されている第２の被照明対象と、
前記基板の主面側と反対側の裏面側に配置され、前記基板の主面側から射出され前記第１の被照明対象を照明する第１の光、及び前記基板の主面側において臨界角以上で前記第１の光を反射して前記基板の端面側から射出され前記第２の被照明対象を照明する第２の光を射出する有機エレクトロルミネッセンス素子と、
前記基板の主面側から射出された光の一部を反射して前記第２の被照明対象を照明する第３の光を生成する反射部を有し、前記第２の光と前記第３の光を前記第２の被照明対象に導く導光体と、を備えたことを特徴とする照明装置。
【請求項２】
請求項１に記載の照明装置であって、
前記第１の被照明対象は液晶表示体であり、前記第２の被照明対象は入力ボタンであることを特徴とする照明装置。
【請求項３】
透明性を有する基板と、
前記基板の主面側に配置されている第１の被照明対象と、
前記基板の端面側に配置されている第２の被照明対象と、
前記基板の主面側と反対側の裏面側に配置され、前記基板の主面側から射出され前記第１の被照明対象を照明する第１の光及び前記基板の端面側から射出され前記第２の被照明対象を照明する第２の光を射出する有機エレクトロルミネッセンス素子と、
前記基板の前記主面側と前記第１の被照明対象との間に配置された誘電体多層反射膜とを備え、
前記誘電体多層反射膜を透過した前記第１の光の色と前記誘電体多層反射膜を透過しない前記第２の光の色とが異なることを特徴とする照明装置。
【請求項４】
請求項３に記載の照明装置であって、
前記誘電体多層反射膜はＴａ２Ｏ５層とＳｉＯ２層とを交互に複数形成してなることを特徴とする照明装置。
【請求項５】
請求項３または４に記載の照明装置であって、
前記誘電体多層反射膜を透過した前記第１の光の色は緑であり、前記第２の光の色は赤であることを特徴とする照明装置。
【請求項６】
請求項３乃至５のいずれか一項に記載の照明装置であって、
前記第１の被照明対象は液晶表示体であり、前記第２の被照明対象は入力ボタンであることを特徴とする照明装置。
【発明の詳細な説明】
【０００１】
【発明の属する技術分野】
本発明は照明装置、及びこれを用いた電子機器に関し、特に有機エレクトロルミネッセンス（以下、有機ＥＬという）素子を含み移動電話等の液晶表示体等の透過型表示体及び入力ボタン等を同時に照明することのできる照明装置、及びこれを用いた電子機器に関する。
【０００２】
【従来の技術】
従来の液晶表示体等の透過型表示体及び入力ボタン照明を行うことのできる照明装置について図６を参照して説明する。同図に示されているように、従来の照明装置は、導光板２０１の端面に光源２０２ａを隣接配置した、液晶表示体２０３の照明部分と、スイッチ基板２０７上に設けられた光源２０２ｂによる入力ボタン２０６の照明部分とに分離されている。そして、光源２０２ａとして発光ダイオード（Ｌｉｇｈｔ Ｅｍｉｔｔｉｎｇ Ｄｉｏｄｅ；ＬＥＤ）が２〜８個、光源２０２ｂとして発光ダイオード（ＬＥＤ）が６〜１５個程度使用されていた。
【０００３】
【発明が解決しようとする課題】
上述した従来の照明装置は、液晶表示体部分を照明するための光源とその他の部分を照明するための光源とは別体になっており、それぞれに多数の発光ダイオード（ＬＥＤ）が用いられていた。しかしこれらは、構造が複雑であるばかりでなく、輝度の均一性が低いという問題を有していた。
【０００４】
本発明はこの様な問題点を解決するものであり、その目的は液晶表示体の照明に有機ＥＬ照明を用い、その端面からの光線をその他の照明に用いることによって、安価で輝度均一性の高い照明装置、及びこれを用いた電子機器を提供することである。
【０００５】
【課題を解決するための手段】
上記課題を解決するために、本発明の照明装置は、透明性を有する基板と、前記基板の主面側に配置されている第１の被照明対象と、前記基板の端面側に配置されている第２の被照明対象と、前記基板の主面側と反対側の裏面側に配置され、前記基板の主面側から射出され前記第１の被照明対象を照明する第１の光、及び前記基板の主面側において臨界角以上で前記第１の光を反射して前記基板の端面側から射出され前記第２の被照明対象を照明する第２の光を射出する有機エレクトロルミネッセンス素子と、前記基板の主面側から射出された光の一部を反射して前記第２の被照明対象を照明する第３の光を生成する反射部を有し、前記第２の光と前記第３の光を前記第２の被照明対象に導く導光体と、を備えたことを特徴とする。
本構成によれば、単純な構造で液晶等の均一性の高い背面照明とその他の部分の照明とを実現できる。
【０００６】
また、本発明の照明装置は、上記に記載の照明装置であって、前記第１の被照明対象は液晶表示体であり、前記第２の被照明対象は入力ボタンであることを特徴とする。
【０００７】
また、本発明の照明装置は、透明性を有する基板と、前記基板の主面側に配置されている第１の被照明対象と、前記基板の端面側に配置されている第２の被照明対象と、前記基板の主面側と反対側の裏面側に配置され、前記基板の主面側から射出され前記第１の被照明対象を照明する第１の光及び前記基板の端面側から射出され前記第２の被照明対象を照明する第２の光を射出する有機エレクトロルミネッセンス素子と、前記基板の前記主面側と前記第１の被照明対象との間に配置された誘電体多層反射膜とを備え、前記誘電体多層反射膜を透過した前記第１の光の色と前記誘電体多層反射膜を透過しない前記第２の光の色とが異なることを特徴とする。
【００１０】
【発明の実施の形態】
次に、図面を参照して本発明の実施の形態について説明する。なお、以下の説明において参照する各図では、他の図と同等部分は同一符号によって示されている。
▲１▼第１の実施形態
図１は本発明による照明装置の第１の実施形態を示す断面図である。同図には、照明装置の側面が示されている。同図において、基板１は透明性がある物質で形成されている。この基板１の材質には、例えばガラス、石英、サファイア、アクリルやポリカーボネート等のプラスチック基板等が使用できる。基板１の一方の主面には有機ＥＬ素子２が形成されている。この有機ＥＬ素子２は、基板１側から透明電極膜２１、発光層２２及び反射電極膜２３より構成されている。発光層２２は図中では簡略化されて描かれているが、実際には、正孔輸送層、有機ＥＬ発光膜、電子輸送層等複数の層によって形成されている。
【００１１】
透明電極膜２１は、光を取り出す側の電極である。この透明電極膜２１には、ＩＴＯ（錫ドープ酸化インジウム）等を用いることができるが、他にＩＺＯ（亜鉛ドープ酸化インジウム）、ＺｎＯ等を用いることもできる。
発光層２２は、一般的には、正孔輸送層、有機ＥＬ発光膜、電子輸送層と機能分離させるのが望ましいとされる。ただし、これに限定されるものではなく、透明電極層と正孔輸送層の間に正孔注入層を導入することもできる。また、反射電極層と電子輸送層との間に電子注入層として非常に薄い絶縁層を導入することもできる。さらに、正孔輸送層や電子輸送層に蛍光色素を微電導入することができ、導入する蛍光色素により自在に発光色を選択することができる。
【００１２】
発光層２２に用いられる正孔輸送性材料には、テトラアリールベンジシン化合物（トリアリールジアミンないしトリフェニルジアミン：ＴＰＤ）等がある。
電子輸送性の化合物としては、キノリン誘導体、さらには８−キノリノールないしその誘導体を配位子とする金属錯体、特にトリス（８−キノリノラト）アルミニウム（Ａｌｑ３）を用いることが好ましい。
【００１３】
また、有機ＥＬ発光膜を形成する場合には、低分子、高分子を問わず、真空蒸着、スパッタリング、スピンコート、ディッビング、インクジェット方式等様々な膜形成手法を選択することができる。
反射電極膜２３は、導電性物質を形成すればよいが、中でも単体金属ではＡ  １、合金ではＭｇとＡｇの合金、Ａｌ合金等が好ましい。
【００１４】
一方、基板１の有機ＥＬ素子２が形成されていない主面側には液晶表示体３が配置されている。また基板１の端面４側には導光体５が配置されている。導光体５には入力ボタン６が埋め込まれている。入力ボタン６は光拡散性を有する材質で構成するのが好ましい。この入力ボタン６の下面には、スイッチ基板７が配置されており、矢印Ｙの方向に入力ボタン６を押下することにより、スイッチ基板７上のスイッチの導通、切断を制御することができる。
【００１５】
かかる構成において、有機ＥＬ素子２を駆動すると、有機ＥＬ素子２から光が発せられる。同図には、有機ＥＬ素子２から発せられた光線の一例として、光線９ａ及び光線９ｂが示されている。光線９ａは基板１を臨界角以下で通り抜けてその主面から発せられ、被照明対象である液晶表示体３の背面照明として使われる第１の光である。光線９ｂは基板１の表面において臨界角以上で反射して端面４から射出する第２の光である。この光線９ｂは、導光体５に入射し、入力ボタン６を照明する。
【００１６】
なお、導光体５は透明材料で構成される。この導光体５には、アクリル樹脂、ポリカーボネート樹脂等が用いられる。入力ボタン６には、白色顔料等の拡散材を分散させた、乳白色の樹脂やエラストマー等が用いられる。
▲２▼第２の実施形態
図２は本発明による照明装置の第２の実施形態を示す断面図である。同図においては、基板１と導光体５１とが隣接する部分の構造を除き、前述の第１の実施形態と同一構造を有するため、上述した入力ボタン６等の図示が省略されている。同図に示されている照明装置は、導光体５１を含んで構成されている。導光体５１は、基板１の端面からの光線９ｂを入力ボタン６の方向に導くと共に、基板１の主面からの光線９ａの一部をも入力ボタン６の方向に導く反射部５２を有している。かかる構成において、有機ＥＬ素子２が発光すると、基板１の端部から出射される光の他、導光体５１の反射部５２によって基板１の透過光をも反射させて被照明対象であるボタンに導くことができ、効率良く照明を行うことができる。
【００１７】
つまり、本実施形態においては、反射板５２として第１の光の一部を反射する反射部材を更に含み、この反射部材によって反射された第３の光によって第２の光と同一の被照明対象を照明するのである。このため、簡単な構成で、輝度均一性が高く、液晶表示体の背面照明及び入力ボタン等の照明が可能な照明装置を実現できる。
【００１８】
▲３▼第３の実施形態
図３は本発明による照明装置の第３の実施形態を示す断面図である。同図においては、基板１の液晶表示体３が配置された側の構造を除き、前述の第１の実施形態とほぼ同一構造を有するため、上述した入力ボタン６等の図示が省略されている。同図に示されている照明装置は、基板１の主面からの光線９ａを、誘電体多層反射膜（ＤＢＲ；ｄｉｓｔｒｉｂｕｔｅｄ  ｂｒａｇｇ  ｒｅｆｌｅｃｔｏｒ）４０を介してＬＣＤ３に入射させる構成である。この誘電体多層反射膜４０は、例えば、Ｔａ2Ｏ5層とＳｉＯ2層とを交互に複数形成することによって実現する。各層の厚さは透過又は反射させる光成分の波長に応じて決定すれば良い。
【００１９】
この誘電体多層反射膜４０を設けることにより、バックライトと照明の色と、ボタン照明の色とを異なるものにすることができる。例えば、誘電体多層反射膜４０を透過する光の色が緑、誘電体多層反射膜４０を透過せずに反射する光の色が赤になるように誘電体多層反射膜の各層を設計する。これにより、液晶表示体３を緑色光で照明し、同時にボタン６を赤色光で照明することができる。
【００２０】
つまり、本実施形態においては、基板１の主面から出射される第１の光のうち特定の波長を有する第１の光成分を透過させそれ以外の第２の光成分を反射する反射部材を更に含み、第１の光成分と、第２の光成分と、によってそれぞれ異なる被照明対象を照明している。これにより、１つの光源によって、異なる被照明対象をそれぞれ異なる色の光で照明することができる。
【００２７】
請求項の記載に関し、本発明は更に以下の態様を採り得る。
（１）透明性を有する基板上に有機エレクトロルミネッセンス素子を形成した前記基板面又は前記有機エレクトロルミネッセンス素子を形成した面から照明光を放出する照明装置において、前記基板の端面部に光拡散部を設けた導光体を配置したことを特徴とする照明装置。
【００２８】
（２）前記導光体に光拡散性を有する材質で構成された入力ボタンを配置したことを特徴とする請求項１記載の照明装置。
（３）透明性を有する基板上に有機エレクトロルミネッセンス素子を形成した前記基板面又はは前記有機エレクトロルミネッセンス素子を形成した面から照明光を放出する照明装置において、前記基板の端面部に光拡散部を設けた導光体を配置したことを特徴とする照明装置と、前記導光体に配置された光拡散性を有する材質で構成された操作ボタンとを有する電子機器。
【００２９】
【発明の効果】
以上説明したように本発明は、発光する有機ＥＬ素子と、透明性を有し前記有機ＥＬ素子からの光が第１の主面に入射される基板とを含む照明装置において、基板に入射される前記光のうち該基板の第２の主面から出射される第１の光と、基板の第１及び第２の主面以外の端面から出射される第２の光と、によってそれぞれ異なる被照明対象を照明することにより、単純な構造で液晶等の表示体に対する均一性の高い背面照明とその他の部分への照明とを実現できるという効果がある。
【００３０】
また、上記第１の光の一部を反射する反射部材を更に設け、反射部材によって反射された第３の光によって上記第２の光と同一の被照明対象を照明することにより、基板の端部から出射される光の他、導光体の反射部によって基板の透過光をも被照明対象に導くことができ、効率良く照明を行うことができるという効果がある。
【００３１】
さらに、上記第１の光のうち特定の波長を有する第１の光成分を透過させそれ以外の第２の光成分を反射する反射部材を更に設け、第１の光成分と、第２の光成分と、によってそれぞれ異なる被照明対象を照明することにより、例えば、液晶表示体を緑色光で照明し、同時に被照明対象を赤色光で照明することができるという効果がある。
【００３２】
上記いずれかの照明装置と、上記第１の光によって照明され任意の情報を表示する表示部と、上記第２の光によって照明されるキー入力部とを設けることにより、移動電話等の電子機器の液晶表示体等の透過型表示体及び入力キーボタンの照明を同時に行うことができるという効果がある。
【図面の簡単な説明】
【図１】本発明の第１の実施形態による照明装置の構成を示す断面図である。
【図２】本発明の第２の実施形態による照明装置の構成を示す断面図である。
【図３】本発明の第３の実施形態による照明装置の構成を示す断面図である。
【図６】従来の照明装置の構成を示す断面図である。
【符号の説明】
１  基板
２  有機ＥＬ素子
３、２０３  液晶表示体
４  端面
５、５１  導光体
４０  誘電体多層反射膜
４１  画素領域
４２  照明領域
２０２  発光ダイオード
【図１】
0004352609.tif 000002
【図２】
0004352609.tif 000003
【図３】
0004352609.tif 000004
【図６】
0004352609.tif 000005